(57)【要約】【課題】敷地内の空地を、目地植栽を実現しながら歩行などし易く舗装できるようにする。【解決手段】敷地内の空地Ｖに敷設される舗装材２によって形成される目地Ｊに納めらて設置される補助舗装材１である。目地Ｊの幅と略等しいか稍小さい幅とを備えた水平部１０と、この水平部１０における長さ方向に亘る両側縁部からそれぞれ下方に突き出して補助舗装材１を下側開口のチャンネル状とする脚部１１とを有している。水平部１０が前記舗装材２の上面２０以下に位置されるように脚部１１を前記目地Ｊにある地盤Ｇに埋め込んで設置されるようになっていると共に、水平部１０には複数の貫通穴１０ａが形成されて地被植物Ｐの生長を妨げないようになっている。【選択図】図４
2013064295.tif 000002
【特許請求の範囲】
【請求項１】
敷地内の空地に敷設される舗装材によって形成される目地に納められて設置される補助舗装材であって、
前記目地の幅と略等しいか稍小さい幅とを備えた水平部と、
この水平部における長さ方向に亘る両側縁部からそれぞれ下方に突き出して補助舗装材を下側開口のチャンネル状とする脚部とを有しており、
前記水平部が前記舗装材の上面以下に位置されるように前記脚部の一部を前記目地にある地盤に埋め込んで設置されるようになっていると共に、
前記水平部には複数の貫通穴が形成されて地被植物の生長を妨げないようになっていることを特徴とする目地用補助舗装材。
【請求項２】
水平部の貫通穴を、その最大寸法が１０ｍｍ〜２０ｍｍの範囲となるように、形成してなることを特徴とする請求項１に記載の目地用補助舗装材。
【発明の詳細な説明】
【技術分野】
【０００１】
この発明は、敷地内の空地の舗装に利用されるものであって、舗装材によって形成される目地に納められて設置される補助舗装材に関する。
【背景技術】
【０００２】
敷地内の建物の建てられていないスペース、すなわち、空地に対しては、幅８ｃｍ〜１１ｃｍ程度の地被植物の植栽用の目地を作っての舗装がしばしばなされている。こうした目地植栽は、敷地内の空地を殺風景にしないように舗装可能とするものであるが、歩行などの障害ともなるところである。
【発明の概要】
【発明が解決しようとする課題】
【０００３】
この発明が解決しようとする主たる問題点は、敷地内の空地を、目地植栽を実現しながら歩行などし易く舗装できるようにする点にある。
【課題を解決するための手段】
【０００４】
前記課題を達成するために、この発明にあっては、目地用補助舗装材を、敷地内の空地に敷設される舗装材によって形成される目地に納められて設置される補助舗装材であって、
前記目地の幅と略等しいか稍小さい幅とを備えた水平部と、
この水平部における長さ方向に亘る両側縁部からそれぞれ下方に突き出して補助舗装材を下側開口のチャンネル状とする脚部とを有しており、
前記水平部が前記舗装材の上面以下に位置されるように前記脚部の一部を前記目地にある地盤に埋め込んで設置されるようになっていると共に、
前記水平部には複数の貫通穴が形成されて地被植物の生長を妨げないようになっているものとした。
【０００５】
かかる補助舗装材によれば、前記舗装材により形成される目地を、地被植物の生長を妨げない状態で、前記水平部によって覆うことができる。これにより、前記空地に、目地植栽を適切に形成させながら、この目地が空地の歩行などの障害にできるだけならないようにすることができる。
【発明の効果】
【０００６】
この発明にかかる補助舗装材によれば、敷地内の空地を、目地植栽を実現しながら歩行などし易く舗装することができる。かかる補助舗装材は簡素であり、目地への設置も容易である。
【図面の簡単な説明】
【０００７】
【図１】図１は実施の形態にかかる補助舗装材の斜視構成図である。
【図２】図２は実施の形態にかかる補助舗装材の平面構成図である。
【図３】図３は実施の形態にかかる補助舗装材を利用した空地の地盤の舗装状態を示した斜視構成図である。
【図４】図４は図３の舗装状態を示した断面構成図である。
【図５】図５は図３の舗装に用いる舗装材の一例を示した斜視構成図である。
【発明を実施するための形態】
【０００８】
以下、図１〜図５に基づいて、この発明の典型的な実施の形態について、説明する。この実施の形態にかかる目地用補助舗装材１は、敷地内の空地Ｖの舗装、つまり、敷地内の建物の建てられていないスペースの舗装に利用されるものであって、舗装材２によって形成される目地Ｊに納められて設置されるものである。
【０００９】
具体的には、かかる補助舗装材１は、前記敷地内にあって、通路、駐車スペース、庭などとして利用される空地Ｖの舗装に利用される。また、かかる補助舗装材１は、前記目地Ｊに、地被植物Ｐ（典型的には、タマリュウ、ディコンドラ、プラティア、リシマキアなどの主として水平方向にのびる植物、グランドカバーなどとも称される。）の生長を妨げない態様で、納められ設置される。すなわち、かかる補助舗装材１は、かかる目地Ｊを、目地植栽（草目地などとも称される。）とさせることを妨げないものである。
【００１０】
かかる補助舗装材１は、長さと前記目地Ｊの幅と略等しいか稍小さい幅とを備えた水平部１０と、この水平部１０における長さ方向に亘る両側縁部からそれぞれ下方に突き出して補助舗装材１を下側開口のチャンネル状とする脚部１１とを有している。
【００１１】
そして、かかる補助舗装材１は、前記水平部１０が前記舗装材２の上面２０以下に位置されるように前記脚部１１の一部を前記目地Ｊにある地盤Ｇに埋め込んで設置されるようになっている。それと共に、かかる補助舗装材１の前記水平部１０には複数の貫通穴１０ａ、１０ａ…が形成されて地被植物Ｐの生長を妨げないようになっている。
【００１２】
図示の例では、前記舗装材２を、平面視において外郭形状を正方形とするプレキャストコンクリート製の平板としている。（図５）図示の例では、前記空地Ｖに、前記目地Ｊが碁盤の目状に形成されるように、複数のかかる舗装材２、２…を配列敷設して、この空所の地盤Ｇの舗装をなしている。かかる舗装材２はその下面側を地盤Ｇに埋め込んだ状態で敷設されており、前記目地Ｊはかかる舗装材２の上面２０と地盤面Ｇａとの間の距離分の深さを持つようになっている。もっとも、かかる舗装材２は、現場打ちのコンクリートなどによって構成することもでき、また、前記前記碁盤の目状は形成される目地Ｊの模様の一例に過ぎない。
【００１３】
補助舗装材１は、屋外にあって劣化し難く且つ所用の剛性を備えた材料から構成され、典型的には合成樹脂から構成される。前記水平部１０は平面視において帯板状を呈している。図示の例では、前記脚部１１は水平部１０に略直角に交わり、また、前記脚部１１は前記水平部１０と略同じ肉厚を持ち且つこの水平部１０の全長に亘って形成されており、補助舗装材１はその幅方向断面をその長さ方向におけるどの位置においても倒Ｕ字状としている。また、前記水平部１０の幅よりも脚部１１の突きだし寸法は小さくなっている。
【００１４】
そして、かかる補助舗装材１は、前記目地Ｊの長さ方向に前記水平部１０の長さ方向を沿わせて、この目地Ｊ内に嵌め込み状に納められるようになっている。図示の例では、前記脚部１１は、その突き出し寸法の約半分を目地Ｊにある地盤Ｇに埋め込んで設置されるようになっている。図示の例では、前記舗装材２の上面２０と側面２１との間には面取り状部２２が形成されており、補助舗装材１はその水平部１０をこの面取り状部２２と舗装材２の側面２１とが接し合う角のレベルに位置させるようにして目地Ｊ内に設置されるようになっている。（図４）これにより、図示の例では、補助舗装材１の水平部１０は舗装材２の上面２０よりも下方に位置されているが、両者の間の段差Ｄは前記面取り状部によりスロープ状となっている。
【００１５】
図示の例では、前記水平部１０に、穴の輪郭を正方形とする貫通穴１０ａが、この水平部１０を格子状にするように、複数設けられている。
【００１６】
かかる補助舗装材１によれば、前記舗装材２により形成される目地Ｊを、地被植物Ｐの生長を妨げない状態で、前記水平部１０によって覆うことができる。これにより、前記空地Ｖに、目地植栽を適切に形成させながら、この目地Ｊが空地Ｖの歩行などの障害にできるだけならないようにすることができる。
【００１７】
前記水平部１０の貫通穴１０ａは、前記水平部１０が目地Ｊにある地盤Ｇに植えられた地被植物Ｐの生長を妨げないようにするように、この水平部１０に形成される。したがって、かかる貫通穴１０ａの大きさ及び穴の輪郭形状は、地被植物Ｐの延び出しを阻害しない大きさ及び形状であれば十分であり、形状に関しては前記正方形に限られない。また、かかる貫通穴１０ａの大きさに関しては、その最大寸法が１０ｍｍ〜２０ｍｍの範囲となるように、形成することが好適である。その理由は、かかる最大寸法が１０ｍｍ未満であると地被植物Ｐが水平部１０上にのび出し難く地被植物Ｐの生長を促しがたい一方で、かかる最大寸法が２０ｍｍ超であるとハイヒールなどの靴底の踵部が細い女性用の靴を履いては補助舗装材１上を歩行し難くなると考えられるからである。また、水平部１０の長さと幅とを乗して得られる面積中４０％〜５０％の範囲となる面積を、貫通穴１０ａによって開放させるようにしておくことが好適である。
【００１８】
図示の例では、前記平板の一辺の長さよりやや全長を小さくする短寸の補助舗装材１’と、前記舗装材２の一辺の長さに補助舗装材１の幅を加した寸法よりもやや全長を小さくする長寸の補助舗装材１”とを使って、前記碁盤の目状をなす目地Ｊを都合良く覆うようにしている。（図３）
【００１９】
典型的には、被地植物の生長を考慮すると、前記目地Ｊの幅は８ｃｍ〜１１ｃｍであり、補助舗装材１の幅はこの目地Ｊの幅に合わせて設定される。平面視正方形の平板状をなす前記舗装材２を６０ｃｍ×６０ｃｍ×厚さ５．５ｃｍのものとした場合、短寸の補助舗装材１’の長さは４９．５ｃｍ程度とされ、長寸の補助舗装材１”の長さは５９．５ｃｍ程度とされる。補助舗装材１は、外観性を考慮すると、透明、あるいは、緑色または茶色のものとして構成することが好ましい。
【符号の説明】
【００２０】
Ｖ  空地
Ｊ  目地
Ｇ  地盤
１  補助舗装材
１０  水平部
１０ａ  貫通穴
１１  脚部
２  舗装材
２０  上面
【図１】
2013064295.tif 000003
【図２】
2013064295.tif 000004
【図３】
2013064295.tif 000005
【図４】
2013064295.tif 000006
【図５】
2013064295.tif 000007